(57)【特許請求の範囲】
【請求項１】
重ねた表紙と裏紙の３辺が閉じられ、上部は開放されて開口部が形成され、表紙の上部には幅方向の折曲線に沿って裏紙側へ折り曲げて開口部を閉じて封緘する封緘片が延設され、封緘片には平行の２本の切り離し線を有する開封用ジッパーが形成されるとともに、表面に剥離シートが貼られた接着層が形成されている開封用ジッパー付き封筒において、
開封用ジッパーの平行の２本の切り離し線のうち一方の切り離し線が表紙の上部の前記幅方向の折曲線に形成されており、
前記封緘片は、前記表紙の上部に延設され前記折曲線と同じ長さ及び前記２本の切り離し線の間隔と同じ高さの長方形部分と、前記長方形部分の上辺に延設され前記折曲線より短い長さの下底及び該下底より短い長さの上底を有する等脚台形部分を有しており、
前記２本の切り離し線のうち他方の切り離し線が前記下底に形成されており、
前記上辺の前記下底より左側の部分と前記長方形部分の左辺によって前記開封用ジッパーの左端に指で摘まむことができる摘まみ部が形成されており、
前記上辺の前記下底より右側の部分と前記長方形部分の右辺によって前記開封用ジッパーの右端に指で摘まむことができる摘まみ部が形成されている
ことを特徴とする開封用ジッパー付き封筒。
【発明の詳細な説明】
【技術分野】
【０００１】
本発明は、封筒に関し、特に、ジッパーで簡単に開封することができる開封用ジッパー付き封筒に関する。
【背景技術】
【０００２】
封筒を簡単に開封できるように開封部に開封用ジッパーを形成した封筒が知られている（特許文献１、２参照）。
【０００３】
図３は従来の開封用ジッパー付き封筒の１例を示し、ダイレクトメール、カタログなどを送付する際に開封用ジッパー付き封筒が利用されている封筒は、重ねた表紙１と裏紙２の下部が閉じられるとともに、上部は開放されてダイレクトメールあるいはカタログなどの収納物を入れる開口部３が形成されている。
【０００４】
表紙１の上部には、幅方向の折曲線４に沿って折り曲げることにより開口部３を閉じて封緘する封緘片５が延設されている。封緘片５の裏紙２側の端辺側に接着剤が塗布されて接着層６が形成され、接着層６の表面には剥離シート７が貼られている。
【０００５】
封緘片５の中央部には、幅方向に引き裂いて封筒を開封する開封用ジッパー８が形成されている。開封用ジッパー８は、複数の切込みが２列に平行に配列される切り離し線９を備えている。
【０００６】
封筒は、図４（ａ）に示すように、開口部３から収納物を入れた後、封緘片５の剥離シート７を剥がして接着層６を露出させ、封緘片５を折曲線４に沿って裏紙２側に折り曲げて裏紙２に接着層６を接着させて封緘する。
【０００７】
封筒を開けるには、図４（ｂ）に示すように、開封用ジッパー８を切り離し線９に沿って引っ張り上げていき封筒から分離して開封する。
【先行技術文献】
【特許文献】
【０００８】
【特許文献１】特開２００１−１０６４０号公報
【特許文献２】特開平８−３２４５７８号公報
【発明の概要】
【発明が解決しようとする課題】
【０００９】
しかしながら、従来の開封用ジッパー付き封筒は、開封用ジッパー８が封緘片５の中央に形成されているため、開封用ジッパー８を引き上げる際に、封緘片５が浮き上がるためにきれいに切断できないという欠点があった。
【００１０】
そこで、本発明は、ジッパーを引き上げる際に封緘片が浮き上がることなくきれいに切断できる開封用ジッパー付き封筒を提供するものである。
【課題を解決するための手段】
【００１１】
本願請求項１の発明は、重ねた表紙と裏紙の３辺が閉じられ、上部は開放されて開口部が形成され、表紙の上部には幅方向の折曲線に沿って裏紙側へ折り曲げて開口部を閉じて封緘する封緘片が延設され、封緘片の裏紙側には平行の２本の切り離し線を有する開封用ジッパーが形成されるとともに、表面に剥離シートが貼られた接着層が形成されている開封用ジッパー付き封筒において、
開封用ジッパーの平行の２本の切り離し線のうち一方の切り離し線が表紙の上部の前記幅方向の折曲線に形成されており、
前記封緘片は、前記表紙の上部に延設され前記折曲線と同じ長さ及び前記２本の切り離し線の間隔と同じ高さの長方形部分と、前記長方形部分の上辺に延設され前記折曲線より短い長さの下底及び該下底より短い長さの上底を有する等脚台形部分を有しており、
前記２本の切り離し線のうち他方の切り離し線が前記下底に形成されており、
前記上辺の前記下底より左側の部分と前記長方形部分の左辺によって前記開封用ジッパーの左端に指で摘まむことができる摘まみ部が形成されており、
前記上辺の前記下底より右側の部分と前記長方形部分の右辺によって前記開封用ジッパーの右端に指で摘まむことができる摘まみ部が形成されていることを特徴とする開封用ジッパー付き封筒である。
【発明の効果】
【００１３】
本発明の開封用ジッパー付封筒は、封緘片の幅方向の折曲線に開封用ジッパーの一方の切り離し線が形成されることにより開封用ジッパーを引っ張り上げても封緘片が浮き上がらないので、開封用ジッパーが切り離し線に沿って封筒から分離して簡単にきれいに開封することができる。
また、開封用ジッパーには、両側に摘まみ部が形成されているので、左右の利き手に応じていずれか一方の好みの摘まみ部を摘まんで開封用ジッパーを引き上げて容易に分離することができる。
【図面の簡単な説明】
【００１５】
【図１】本発明の封筒の全体図で、（ａ）は表紙側を示し、（ｂ）は裏紙側を示す図である。
【図２】（ａ）は本発明の封筒を封緘した状態を示し、（ｂ）は開封用ジッパーを引っ張り上げて開封する状態を示す図である。
【図３】従来の封筒の全体図で、（ａ）は表紙側を示し、（ｂ）は裏紙側を示す図である。
【図４】（ａ）は従来の封筒を封緘した状態を示し、（ｂ）は開封用ジッパーを引っ張り上げて開封する状態を示す図である。
【発明を実施するための形態】
【００１６】
図１は本発明の開封用ジッパー付き封筒の１例を示し、ダイレクトメール、カタログなどを送付する際に開封用ジッパー付き封筒が利用されている封筒は、重ねた表紙１と裏紙２の３辺が閉じられるとともに、上部は開放されてダイレクトメールあるいはカタログなどの収納物を入れる開口部３が形成されている。
【００１７】
表紙１の上部には、幅方向の折曲線４に沿って折り曲げることにより開口部３を閉じて封緘する封緘片５が延設されている。封緘片５の裏紙２側の端辺側に接着剤が塗布されて接着層６が形成され、接着層６の表面には剥離シート７が貼られている。
【００１８】
封緘片５には、幅方向に引き裂いて封筒を開封する開封用ジッパー８が形成されている。開封用ジッパー８は、複数の切込みが２列に平行に配列され、開封用ジッパー８の平行の２本の切り離し線９のうち一方の切り離し線９が表紙１の上部の幅方向の折曲線４に形成されている。
【００１９】
開封用ジッパー８には、両端に摘まむことができる摘まみ部１０が形成され、左右の利き手に容易に対応することができる。
【００２０】
以上の構成からなる封筒の使用方法について説明する。
【００２１】
封筒は、図２（ａ）に示すように、開口部３から収納物を入れた後、封緘片５の剥離シート７を剥がして接着層６を露出させ、封緘片５を折曲線４に沿って裏紙２側に折り曲げて裏紙２に接着層６を接着させて封緘する。
【００２２】
封筒を開けるには、図２（ｂ）に示すように、開封用ジッパー８の摘まみ部１０を摘まんで切り離し線９に沿って引っ張り上げていって封筒から分離して開封する。
【符号の説明】
【００２３】
１：表紙
２：裏紙
３：開口部
４：折曲線
５：封緘片
６：接着層
７：剥離シート
８：開封用ジッパー
９：切り離し線
１０：摘まみ部
【図１】
0006872826.tif 000002
【図２】
0006872826.tif 000003
【図３】
0006872826.tif 000004
【図４】
0006872826.tif 000005